(57)【要約】      （修正有）【課題】映画観賞、舞台観劇、催し物等の長時間にわたり座席に座る場合に、ハンドバック等の持ち込み手荷物を前列座席背凭れ上部肩部を利用して吊るす事により、持ち込み手荷物を長時間にわたり自己の膝上に確保することの煩わしさや苦痛から解放することの出来る携帯吊り具を提供する。【解決手段】無負荷状態で渦巻き状態になるバネと回転コート掛けから成り、前席座席背凭れ上部肩部を抱えるようにして装着することで手荷物を落下することなく吊下げることが可能になった。  吊下げる事が出来る手荷物の重さは少なくとも１．５〜２．５ＫＧの重さが可能であった。【選択図】図６
0003178610.tif 000002
【実用新案登録請求の範囲】
【請求項１】
無負荷状態で渦巻き状態になる渦巻きばねと回転コート掛けから成る携帯吊り具であって、使用時には渦巻き状態を引き伸ばして座席背凭れ上部肩部に沿うように装着すると、元の渦巻き状態に戻ろうとする力が座席背凭れ上部肩部を抱き込む力となって固定され、回転コート掛けに手荷物等を吊るす事ができることを特徴とする携帯吊り具。
【請求項２】
渦巻きばねの寸法が、長さ２５０〜３５０ｍｍ、幅２５〜４０ｍｍ、厚み０．０５〜０．１ｍｍ、重量２０〜３０ｇであり、回転コート掛けの幅は渦巻きばねの幅よりも４〜８ｍｍ小さく、重量は２０〜３０ｇである請求項１に記載の携帯吊り具。
【考案の詳細な説明】
【技術分野】
【０００１】
映画、観劇、催し物等の長時間に亘り座席に座る場合に、持ち込み手荷物等を前列座席の背凭れ上部に装着した携帯吊り具の端部に持ち込み手荷物を吊るして、持ち込み手荷物を膝上確保することによる煩わしさや苦痛を軽減するための携帯吊り具に関するものである。
【背景技術】
【０００２】
女性が外出する時に、化粧品・貴重品等を入れたハンドバッグ、買い物品を入れた紙袋、ファッションの為の軽装衣類等を入れる布袋や紙袋等々、種々の手荷物を持って出かけることが多い。
特に、長時間に亘り座席に座ることになる映画、観劇、催し物などの場合はこれらの手荷物を膝上に置き、抱えて保持することになる。幾つか纏まって全体として嵩張り、比較的重くなる手荷物等を長時間に亘り膝上に保持することは観賞の妨げになるとともに苦痛を伴うことになる。
【０００３】
もちろん、手荷物の預り場所があるような映画館、劇場、催し場である場合はこうした苦労を考慮する必要がなくなることは言うまでもないが、一般的には、手荷物は自分で長時間にわたり膝上に確保して座っている場合が多い。  このような場合における手荷物の膝上確保の煩わしさや苦痛から解放させるための携帯吊り具が求められている。
【０００４】
このような、目的を持つ携帯吊り具に関しては、登録実用新案第３１３３３３９号公報や、特開平９−１９１９７５号公報に示されたような技術が開示されている。
【先行技術文献】
【特許文献】
【０００５】
【特許文献１】登録実用新案第３１３３３３９号
【特許文献２】特許公開平９−１９１９７５
【０００６】
吊り具に係わる技術として公開特許、公開実用新案等を調査したところ、例えば、登録実用新案第３１３３３３９号のような内蔵した渦巻ばねに手荷物を吊下げる鉤を付けた細い紐を結束して出し入れの長さを調節する携帯吊り具があるが、装置全体が収納できる箱型であり、かつこの箱を吊下げる吊り元がなければ使用出来ないものとなっている。
【０００７】
また、特許公開平９−１９１９７５のような座席または椅子の肩部に掛けて使用する携帯吊り具は金属棒で製作されていて、かなりの大きさとなり携帯用としての手軽さが無いなど、本考案に求めている小型、軽量、使用し易さ等の観点からは映画館、劇場等の座席への適用は難しい考案品であった。他にも種々の吊下げ具の考案がみとめられたが、いずれも映画館、劇場等の座席への手軽な適用には不向きの考案品である場合が多かった。
【考案の概要】
【考案が解決しようとする課題】
【０００８】
前述、劇場等の座席の背凭れ上部の馬蹄形部分を利用して手荷物を掛けるためには、図２の５のような馬蹄形に合致した金属板、金属パイプ、金属棒の片側先端にL型又はU字に曲げた金属板か金属棒を接合することで手荷物等を吊下げることが可能になる。
しかし、座席背凭れ上部の馬蹄形は総て同一形状をしているとは限らないために、金属板、金属パイプ、金属棒で製作された携帯吊り具では対応する座席専用になり他の座席への汎用性が無いことになる。
【０００９】
あるいは、汎用性をもつ携帯吊り具として特許公開平９−１９１９７５のような形状があるが、大きさが大きく女性がハンドバックに入れて持ち運ぶ事は出来ないものになっている。
従って、携帯吊り具は小型、軽量、汎用性の大きい携帯吊り具が求められる。
【００１０】
また、市場にフレキシブルチューブと言う変形自在の金属パイプがあり、種々形状の座席背凭れ上部の馬蹄形に合わせて使用することが出来る携帯吊り具の形態が考えられる。  しかし、下記の点で女性の感覚に不適合になる可能性が考えられる。
【００１１】
女性が外出するに際して重要視される点は、お洒落で、軽量で、小型の携帯品であることが必須となる。女性が前述のような金属製の比較的嵩張る形の携帯吊り具を持って出かけることは考えられない。また、携帯吊り具としても実用に供した時に劇場内の周囲の観客から奇異の目で見られることへの恥じらいに対する考慮が必要になる。
【００１２】
したがって、携帯吊り具は小さなハンドバック入れることが出来るようなお洒落で、軽量で、小型の大きさが必須となり、映画館、劇場等の座席背凭れ上部の馬蹄形部分に装着しても目立つことのない形状であることが必要である。
【課題を解決するための手段】
【００１３】
上記の課題を解決するための第一の考案は、
無負荷状態で渦巻き状態になる渦巻きばねと回転コート掛けから成る携帯吊り具であって、使用時には渦巻き状態を引き伸ばして座席背凭れ上部肩部に沿うように装着すると、元の渦巻き状態に戻ろうとする力が座席背凭れ上部肩部を抱き込む力となって固定され、回転コート掛けに手荷物等を吊るす事ができる携帯吊り具である。
【００１４】
また、第二の考案は、第一の考案において、渦巻きばねの寸法が、長さ３００〜３５０ｍｍ、幅２５〜３５ｍｍ、厚み０．０５〜０．１ｍｍ、重量２０〜２５ｇであり、回転コート掛けの幅は渦巻きばねの幅よりも４〜８ｍｍ小さく、重量は２０〜３０ｇである携帯吊り具である。
【考案の効果】
【００１５】
渦巻きばねを使用することにより、携帯吊り具に吊るす事ができる手荷物の重さは最大２．０ＫＧまで得られる事が認められた。この携帯吊り具が吊るすことが出来る荷重は、女性が映画、観劇、催し物等の外出に際して持つハンドバックの重量、化粧品・貴重品等の必須用品、天候によっては携帯雨傘または日傘等の重量等を考慮して計量したところ、総重量は凡そ０．５〜１．５Ｋｇ程度になることが分かった。従って、これらの携行品および買い物品等を考慮して携帯吊り具が吊り下げられる重量は１．０〜２．０Ｋｇ程度の重さを吊下げることができる能力を保持する携帯吊り具であることが必要であり、渦巻きばねを使用したことにより達成することが出来た。
【００１６】
本携帯吊り具を前座席の背凭れ上部の馬蹄形(肩部分)の外周部に装着する時は渦巻き状態を水平に伸ばし、座席背凭れ上部の馬蹄形(肩部分)の外周部に添うように装着する。
本携帯吊り具の厚みは安全対策用の収納帯状袋のケース厚みを加えても厚さが１．５〜２．０ｍｍと薄く、前述金属材料等で製作された形のある携帯吊り具に比して、平板状で目立つ事が無く、周囲の観客から奇異の目で見られる心配は少ない。
【００１７】
また、本携帯吊り具の全重量は安全対策用の収納帯状袋及び回転コート掛けの重量を合わせても４０〜６０ｇと極めて小型、軽量であり、女性用ハンドバックの中に納めても重量的にも嵩張り敵にも負担を加える事はない。
また、渦巻きばねを収納する帯状袋の表面側に花、小動物、イラスト図等を印刷したものにすることでお洒落感を創出することができ、実施した時に周囲の観客から奇異の目で見られることが回避出来る。
【図面の簡単な説明】
【００１８】
【図１】携帯吊り具の実施例
【図２】映画館、劇場等の一般的座席の断面図
【図３】渦巻きばね図（無負荷状態においては渦巻き状態である。）
【図４】引き伸ばした状態の渦巻きばね  (4-1)  引き伸ばし時の平面図  (4-2)  引き伸ばし時の断面図
【図５】市販回転コート掛け  (5-1)   市販回転コート掛け平面図  (5-2)   市販回転コート掛け断面図
【図６】携帯吊り具の完成図        (6-1)   渦巻きばねを安全対策のための帯状袋に挿入し、回転コート掛けを                  取り付けた状態図           (6-2)  未使用時の渦巻き状に丸まった状態図                  （この状態でハンドバック内に収納される。）
【考案を実施するための形態】
【００１９】
携帯吊り具を座席背凭れ上部の馬蹄形(肩部分)の外周部に装着した時に、馬蹄形部(肩部分)を抱えるような力を発揮して、かつ手荷物を掛けて生じる落下方向の力に耐える（手荷物を吊るし続ける力）ことが出来る携帯吊り具の構造材として、渦巻きばねを使用するものである。
【実施例】
【００２０】
本考案に使用する渦巻きばねは図３の６のように無負荷状態では渦巻き状態になっている。  また、本考案に用いられる渦巻きばねの大きさは、図４(4-1)、(4-2)に示すような幅２８〜４０ｍｍ、長さ２５０〜３５０ｍｍ、厚さ０．０５〜０．１ｍｍの渦巻きばねが適切である。
【００２１】
本考案に用いる渦巻きばねは、未使用時（無負荷状態）には図３の６のように渦巻き状に丸まっていて、渦巻き状態の大きさは、直径３５〜４５ｍｍ、幅２５〜４０ｍｍの小さな円筒状になるために、手の掌で握ることができるとともに、女性が持つ小さなハンドバックの中に十分納まる大きさとなる。
【００２２】
渦巻きばねで製作される携帯吊り具は、小さく丸まるっているが、使用時には渦巻きばねの片端部（回転コート掛け部）を持って真っ直ぐに引き伸ばして、前席背凭れ肩部を抱かせるように懸ける。
渦巻きばねが元のまるまった状態に戻ろうとする力は前席背凭れ肩部を抱き付く力として利用することが出来るとともに、安全と滑り止め対策を付加することで前席背凭れ肩部にズレることなく維持される。
【００２３】
携帯吊り具として手荷物を吊るす用具として、図３に示す市販の回転コート掛けを利用する。
回転コート掛けを渦巻きばねに取り付ける方法は、図５の１２に示したように回転コート掛けの取付け穴の位置に合致するように、予め渦巻きばねの図４の８の位置に穴を開けておき、ボルト・ナットあるいは専用かしめ具で固定する。
【００２４】
居住室内で使用するコート掛けには鉤部が固定されている品物があるが、女性が持つ小さなハンドバックの中では嵩張る原因になるので図５の１１に示すような鉤部が自由に動く回転型の品物が望ましい。
【００２５】
渦巻きばねを裸のまま使用したのでは、厚みが０．０５〜０．１ｍｍと刃物ように薄いために、裸使用の場合は手指の切傷あるいはハンドバック内の他の小物を損傷する危険がある。また、渦巻きばねの表面は極めて平滑なために、裸で使用の場合は元のまるまった状態に戻る力が前席背凭れ肩の表面を滑って携帯吊り具の目的を達することが出来なくなる可能性が考えられる。
【００２６】
そこで、切り傷防止と前席背凭れ肩部に固定されるための下記の処置を付け加えることで携帯吊り具の目的を強固に達成させることが可能になった。
(1)  切り傷防止等の安全対策
本考案に使用する、幅２５〜４０ｍｍ、長さ２５０〜３５０ｍｍ、厚さ０．０５〜０．１ｍｍの渦巻きばねは専用に製作された帯状袋に挿入して使用する。この帯状袋の材質は布地（織物）、ビニル樹脂、ポリウレタン樹脂、ポリエステル樹脂等の合成樹脂で出来るシートを材料とすることができる。この、安全対策の帯状袋の重量は布地（織物）のものでは、５〜１０ｇ、合成樹脂シートの成型品のもので２０〜２５ｇである。
これら３種類の携帯吊り具用材料の合計重量は、５０ｇ〜６０ｇとなるが、女性用の持ち物としては負担を感じさせるものではない。
【００２７】
これら布地（織物）または合成樹脂シートの２枚を重ね合わせ、定荷重バネの幅および長さよりも８ｍｍ長く裁断する。裁断後に重ね合わせた２枚の布地（織物）または合成樹脂シートの長辺両側と短辺の片側を、布地（織物）の場合はミシン縫製し、合成樹脂シートの場合は熱融着することで帯状袋とする。
その後に、定荷重バネを帯状袋の中に挿入し、開放している帯状袋の片側を縫製又は熱融着して定荷重バネ帯を閉じ込めることにより切り傷発生を防止することが出来る。
もちろん、これらの帯状袋の回転コート掛け取付け側の端部には回転コート掛けを取り付けるための穴を所定の位置に開けておくものとする。
【００２８】
(2)  携帯吊り具取付け時の滑止め対策
渦巻きばねを挿入した布地（織物）製袋の場合は、映画館や劇場の座席表面を覆う布地（織物）との摩擦力が得られ、合成樹脂シート材の帯状袋よりも滑り難いと考えられる。
しかし、完全に滑らないとは言い難いため、その滑り止め対策として面ファスナーのフック型側を回転コート掛けの無い側の座席に面する側に縫製または接着剤取付けする。
【００２９】
面ファスナー・フック型は図６の１４に示すように、回転コート掛けが取り付けられた反対側端部から携帯吊り具の１／３〜１／２長さのものが適切である。
また、合成樹脂シートの場合も上述同様に座席に面する側に面ファスナー・フック型を接着剤で
取付けることが望ましい。
【産業上の利用可能性】
【００３０】
本考案は新たな携帯用品を市場に提供するものであり、産業振興に有効である。
【符号の説明】
【００３１】
１    携帯吊り具
２    ハンドバック等の手荷物
３    座席の座面
４    座席の背凭れ部
５    座席の背凭れ上部の馬蹄形部
６    渦巻きばねの無負荷状態  （渦巻き状態）
７    渦巻きばねを引き伸ばした平面
８    回転コート掛け取付け穴
９    渦巻きばねを引き伸ばした断面
１０    回転コート掛け平面
１１    回転コート掛け断面  （鉤部は３６０度回転する。）
１２    回転コート掛け取付け穴
１３    渦巻きばね収納用の帯状袋  （帯状織物、合成樹脂シート等）
１４    面ファスナ−  （フック型）
【図１】
0003178610.tif 000003
【図２】
0003178610.tif 000004
【図３】
0003178610.tif 000005
【図４】
0003178610.tif 000006
【図５】
0003178610.tif 000007
【図６】
0003178610.tif 000008